(57)【要約】【課題】  握持位置を調整できると共に生産コストを減らせる印章の構造の提供。【解決手段】  上方に径方向に開放された凹レールが形成された印框座を具え、印框座の下方に設けられて、その捺印面に文字或いは図案が彫刻された印型と、印框座の底端に設けられ、印型底端のシールカバーとされるカバーと、印框座の凹レール上に組み合わされて左右水平移動可能である握持装置と、を具え、以上が組み合わされて、握持装置が印框座の長さに応じての握持位置を調整可能で、調整式握持可能で生産コストを減らせる印章とされている。【選択図】        図１
0003110635.tif 000002
【実用新案登録請求の範囲】
【請求項１】
印框座、印型、カバー、及び握持装置が組み合わされてなる印章であり、
該印框座は、一体成形された長条状座体とされ、該印型は印框座の下方に設けられ、その捺印面に文字或いは図案が彫刻され、該カバーは印框座の底端に設けられて印型底端のシールカバーとされ、該握持装置は捺印時の手部による握持に供される印章において、
該印框座の上方に、座体と同じ径方向に開放状を呈する凹レールが形成され、凹レール且つその上端壁の二側より中間上端に向けて接合面が形成され、
該握持装置は印框座の凹レールにおいて左右に移動可能で、調整式の印章の中心部分の手部による握持を可能とし、
以上の構造により、印框座が印型の設定寸法により裁断され、且つ該握持装置が該印框座上で左右移動可能とされ、該印章が調整式の印章中心部分の手部による握持可能とされ、また印框座のプラスチック材料を節約し、急速成形と強固な結合を可能としたことを特徴とする、印章。
【請求項２】
請求項１記載の印章において、握持装置が嵌合部品、制圧部品、及びハンドルを具え、該嵌合部品は嵌合ロッドを具えた嵌合面で凹レール間に組み合わされ、並びに接合面の内側端面に当接し、該制圧部品に圧接面が設けられて嵌合部品と嵌合され共同で凹レールの接合面を挟持し、該ハンドルは枢設部を具えて該制圧部品と嵌合され位置決めされることを特徴とする、印章。
【請求項３】
請求項２記載の印章において、嵌合部品の嵌合面と制圧部品の圧接面と印框座の接合面が同じ形式の端面を具えた板体構造とされて挟持に有利とされたことを特徴とする、印章。
【請求項４】
請求項１記載の印章において、印框座の凹レールの両側内端壁に位置決め溝が設けられ、嵌合部品にあって凹レールと嵌合される部分に位置決め縁が設けられて位置決め溝と組み合わされることを特徴とする、印章。
【請求項５】
請求項２記載の印章において、嵌合部品の嵌合ロッドの棒体外周にネジが設けられ、制圧部品との螺合に供されることを特徴とする、印章。
【請求項６】
請求項２記載の印章において、制圧部品の中心上端より所定高さの柱状の嵌合棒が延伸され、且つその棒体の内側に枢設孔が形成されたことを特徴とする、印章。
【請求項７】
請求項２記載の印章において、ハンドルの中心収容孔に制圧部品の嵌合棒に嵌合される枢設部が凸設され、並びに外周の所定部分にマークが設けられたことを特徴とする、印章。
【請求項８】
請求項２記載の印章において、ハンドルの枢設部の中心に別に突出棒が凸設され、制圧部品の枢設孔中に嵌合され、これにより制圧部品が緊迫挟持されることを特徴とする、印章。
【請求項９】
請求項１記載の印章において、印框座の二側端がサイドカバーで封じられ、且つこのサイドカバーの上側座、下側座の間に弾性体が収容され、印框座が弾性捺印可能とされ、且つカバーと共に閉じた空間を形成し、これにより印章が保護されインク乾燥が防止されたことを特徴とする、印章。
【考案の詳細な説明】
【技術分野】
【０００１】
本考案は一種の印章に係り、特に、印框座、印型、カバー、握持装置で構成され、印框座が印型の設定サイズに応じて裁断され、更に印框座の凹レールに随意に位置調整可能な握持装置が組み合わされ、並びにカバーによるシールが組み合わされ、速やかな成形と強固な結合の高い実用性を具えた印章構造に関する。
【背景技術】
【０００２】
印章は生活中に不可欠の物品であり、例えば身分の表示或いは文献の検証等はいずれも印章の捺印により確認される。
【０００３】
一般に事務性の印章は木製或いはプラスチック製の印框座を具え、さらに捺印端に文字或いは図案の印型が彫刻され、手部による握持捺印に供される。周知の木製印章６０の構造は、図５に示されるように、木製の印框座６１の底端にゴム製の印型６２が接着され、これにより捺印に供される印章構造体が形成されている。この印框座６１は木製であるため、その原料の取得は現代の環境保護意識に符合しない。このため、図６に示されるプラスチック製印章７０が提供されており、それは印框座７１の外端に握持体７２が接続され、並びにその底部にインクを保存できる印型７３が設けられ、カバー７４が嵌合されてなる。この印框座７１と握持体７２は印型７３の寸法に合わせて設けられ、ゆえに印型７３の寸法に合わせるためにプラスチック成形型の大量開発を引き起し、経済的でない。本考案者は以上を鑑み、図７に示されるような裁断可能な印章８０構造を提供している。該印框座８１はプラスチック一体成形されて中空框体を呈する長条状框体とされ、さらに印型８２の設定寸法により裁断され、カバー８３が組み合わされて印章構造が形成される。ただしこの周知の裁断式印章８０は一体成形方式で手部の握持に供される印框座８１が形成されるため、型開発のコストを減らせるものの、印框座８１の握持端が印章全体の相当な部分を占有し、全体的に比較的多くのプラスチック材料を消耗し、且つ成形後にその体積が大き過ぎ、携帯に不便で全体造形も美しくなく、ゆえに改良の余地がある。
【考案の開示】
【考案が解決しようとする課題】
【０００４】
本考案は一種の印章を提供することを目的とし、それは、上方に径方向に開放された凹レールが形成された印框座を具え、印框座の下方に設けられて、その捺印面に文字或いは図案が彫刻された印型と、印框座の底端に設けられ、印型底端のシールカバーとされるカバーと、印框座の凹レール上に組み合わされて左右水平移動可能である握持装置と、を具え、以上が組み合わされて、握持装置が印框座の長さに応じての握持位置を調整可能で、調整式握持可能で生産コストを減らせる印章であるものとする。
【課題を解決するための手段】
【０００５】
請求項１の考案は、印框座、印型、カバー、及び握持装置が組み合わされてなる印章であり、
該印框座は、一体成形された長条状座体とされ、該印型は印框座の下方に設けられ、その捺印面に文字或いは図案が彫刻され、該カバーは印框座の底端に設けられて印型底端のシールカバーとされ、該握持装置は捺印時の手部による握持に供される印章において、
該印框座の上方に、座体と同じ径方向に開放状を呈する凹レールが形成され、凹レール且つその上端壁の二側より中間上端に向けて接合面が形成され、
該握持装置は印框座の凹レールにおいて左右に移動可能で、調整式の印章の中心部分の手部による握持を可能とし、
以上の構造により、印框座が印型の設定寸法により裁断され、且つ該握持装置が該印框座上で左右移動可能とされ、該印章が調整式の印章中心部分の手部による握持可能とされ、また印框座のプラスチック材料を節約し、急速成形と強固な結合を可能としたことを特徴とする、印章としている。
請求項２の考案は、請求項１記載の印章において、握持装置が嵌合部品、制圧部品、及びハンドルを具え、該嵌合部品は嵌合ロッドを具えた嵌合面で凹レール間に組み合わされ、並びに接合面の内側端面に当接し、該制圧部品に圧接面が設けられて嵌合部品と嵌合され共同で凹レールの接合面を挟持し、該ハンドルは枢設部を具えて該制圧部品と嵌合され位置決めされることを特徴とする、印章としている。
請求項３の考案は、請求項２記載の印章において、嵌合部品の嵌合面と制圧部品の圧接面と印框座の接合面が同じ形式の端面を具えた板体構造とされて挟持に有利とされたことを特徴とする、印章としている。
請求項４の考案は、請求項１記載の印章において、印框座の凹レールの両側内端壁に位置決め溝が設けられ、嵌合部品にあって凹レールと嵌合される部分に位置決め縁が設けられて位置決め溝と組み合わされることを特徴とする、印章としている。
請求項５の考案は、請求項２記載の印章において、嵌合部品の嵌合ロッドの棒体外周にネジが設けられ、制圧部品との螺合に供されることを特徴とする、印章としている。
請求項６の考案は、請求項２記載の印章において、制圧部品の中心上端より所定高さの柱状の嵌合棒が延伸され、且つその棒体の内側に枢設孔が形成されたことを特徴とする、印章としている。
請求項７の考案は、請求項２記載の印章において、ハンドルの中心収容孔に制圧部品の嵌合棒に嵌合される枢設部が凸設され、並びに外周の所定部分にマークが設けられたことを特徴とする、印章としている。
請求項８の考案は、請求項２記載の印章において、ハンドルの枢設部の中心に別に突出棒が凸設され、制圧部品の枢設孔中に嵌合され、これにより制圧部品が緊迫挟持されることを特徴とする、印章としている。
請求項９の考案は、請求項１記載の印章において、印框座の二側端がサイドカバーで封じられ、且つこのサイドカバーの上側座、下側座の間に弾性体が収容され、印框座が弾性捺印可能とされ、且つカバーと共に閉じた空間を形成し、これにより印章が保護されインク乾燥が防止されたことを特徴とする、印章としている。
【考案の効果】
【０００６】
本考案は従来の技術と比較すると、以下のような効果を達成できる。
１．握持装置が位置調整機能を具えている。即ち、本考案の印章の印框座は印型の寸法により裁断可能で、且つ任意に握持に供される握持装置の移動調整が行なえるため、任意の長さの印章の中心で握持を行なうことができる。
２．生産コストを減らす機能を具えている。即ち、本考案の印章の印框座は裁断式の座体設計とされ、並びにそれに握持装置を組み合わせるための凹レールが設けられ、ゆえに一体成形加工プロセス中に該握持装置に使用される原料を減らすことができ、これにより全体の生産コストを減らし、また軽量化効果も達成できる。
３．急速組立機能を具えている。即ち、本考案の印章の印框座は印型寸法に合わせて裁断可能で印型と結合した後に、握持装置の嵌合部品を迅速に印框座の凹レールに組み合わせることができ、更に制圧部品及びハンドルの螺設により急速組立の機能を達成できる。
【考案を実施するための最良の形態】
【０００７】
図１、２に示されるように、本考案の提供する印章は、印框座１０、印型２０、カバー３０、及び握持装置４０が組み合わされてなる。
【０００８】
該印框座１０は、一体成形された長条状座体とされ、その上方に、座体と同じ径方向に開放状を呈する凹レール１１が形成され、凹レール１１内に対称な位置決め溝１１１が形成され、その両側上端壁より係合部１２が延伸され、並びに中間上端に向けて接合面１３が形成されている。
【０００９】
該印型２０は、印框座１０の底端に設けられ、印型２０底端のシールカバーとされ、その側面内壁に対称な係合部３１が形成されて印框座１０の上端壁の係合部１２と係合可能とされている。
【００１０】
該握持装置４０は、該印框座１０の凹レール１１に組み合わされ、該凹レール１１において左右に水平に移動可能であり、それは、嵌合部品４１を具え、該嵌合部品４１はその嵌合面４１１及び位置決め縁４１２で該凹レール１１の位置決め溝１１１間に嵌合され、並びに接合面１３の内側端面に当接し、該嵌合面４１１の中央にあって、ネジを具えた嵌合ロッド４１３が上向きに延伸されている。制圧部品４２が、印框座１０の凹レール１１の接合面１３に接合される圧接面４２１を具え、且つ圧接面４２１の中央にあって上向きに、外側にエンボス面を具えた嵌合棒４２２が延伸され、該嵌合棒４２２は枢設孔４２３を具えて嵌合部品４１の嵌合ロッド４１３と嵌合され、並びに圧接面４２１が印框座１０の接合面１３に圧接し、これにより制圧部品４２と嵌合部品４１が緊密に該凹レール１１の接合面１３の内側、外側端面を挟持する。ハンドル４３は中心の収容孔中に延伸される枢設部４３１を具え、制圧部品４２の嵌合棒４２２の外周に嵌合され、枢設部４３１の中心に突出棒４３２が凸設され、それが制圧部品４２の枢設孔４２３中に挿入され、手部による握持に供されるハンドルの同心校正と安定した嵌合の機能を有する（図３）。また、ハンドル４３の外周の所定位置にマーク４３３が設けられ、印型２０の捺印面２１の文字或いは図案の方向註記を提供する。
【００１１】
更に本考案の構造の特徴、運用する技術手段及び達成を予期される効果について、以下に説明する。
【００１２】
本考案は所定寸法の印型２０が裁断された印框座１０の下方に接着され、さらに該嵌合部品４１の嵌合面４１１が印框座１０の凹レール１１の位置決め溝１１１中に挿入されて位置決めされ、且つ該嵌合ロッド４１３が接合面１３において凹レール１１中で伸縮移動を形成可能で、次に制圧部品４２が嵌合部品４１の嵌合ロッド４１３に螺合され、これにより嵌合部品４１が制圧部品４２と緊密に印框座１０の凹レール１１の接合面１３を挟持する。さらに、該ハンドル４３の枢設部４３１が制圧部品４２の嵌合棒４２２に嵌合され、最後にカバー３０が印框座１０の係合部１２の両側に嵌合され、こうして本考案の印章が完成する。
【００１３】
以上の構造の組合せにより、握持装置４０が印框座１０の凹レール１１において左右に移動可能に組み合わされ、該ハンドル４３の位置の調整が行なえ、これにより、印章が調整式印章の中心部分を手部で握持可能となり、また印框座１０のプラスチック材料コストを下げる機能が達成される。
【００１４】
また、本考案が浸透式印章形態に応用される時、図４に示されるように、印框座１０の二側端がサイドカバー５０で封じられ、且つこのサイドカバー５０の上側座５１、下側座５２の間に弾性体５３が収容され、印框座が弾性捺印可能とされ、且つ印型２０が捺印後にサイドカバー５０内に収容され、カバー３０と閉じた空間を形成し、こうして印型２０の保護とインクの乾燥を防止する機能が達成される。
【００１５】
総合すると、本考案の印章は、印框座、印型、カバー、握持装置で構成され、該印框座が印型の設定寸法により裁断され、更に印框座の凹レールに随意に位置調整できる握持装置が組み合わされ、並びにカバーが組み合わされ、急速成形と安定した結合の高い実用性を具えた印章とされ、全体として産業上の利用価値と経済性を有し、且つその構成はその出願前に頒布された刊行物に記載がなく、公開使用もされておらず、実用新案登録の要件に符合する。なお、以上の実施例は本考案の実施範囲を限定するものではなく、本考案に基づきなしうる細部の修飾或いは改変は、いずれも本考案の請求範囲に属するものとする。
【図面の簡単な説明】
【００１６】
【図１】本考案の実施状態の立体外観図である。
【図２】本考案の立体分解図である。
【図３】本考案の立体組合せ断面図である。
【図４】本考案の浸透式印章に応用された局部分解図である。
【図５】周知の木製印章の断面図である。
【図６】周知のプラスチック製印章の断面図である。
【図７】周知の裁断式印章の組合せ立体図である。
【符号の説明】
【００１７】
６０  印章                    ６１  印框座
６２  印型                    ７０  印章
７１  印框座                  ７２  握持体
７３  印型                    ７４  カバー
８０  印章                    ８１  印框座
８２  印型                    ８３  カバー
１０  印框座                  １１  凹レール
１１１  位置決め溝            １２  係合部
１３  接合面                  ２０  印型
２１  捺印面                  ３０  カバー
３１  係合部                  ４０  握持装置
４１  嵌合部品                ４１１  嵌合面
４１２  位置決め縁            ４１３  嵌合ロッド
４２  制圧部品                ４２１  圧接面
４２２  嵌合棒                ４２３  枢設孔
４３  ハンドル                ４３１  枢設部
４３２  突出棒                ４３３  マーク
５０  サイドカバー            ５１  上側座
５２  下側座                  ５３  弾性体
【図１】
0003110635.tif 000003
【図２】
0003110635.tif 000004
【図３】
0003110635.tif 000005
【図４】
0003110635.tif 000006
【図５】
0003110635.tif 000007
【図６】
0003110635.tif 000008
【図７】
0003110635.tif 000009